(57)【特許請求の範囲】
【請求項１】
噴霧器本体から垂下したトリガーの引寄せ操作により、噴霧器本体の噴口から液体を噴霧させるトリガー式噴霧器であって、
トリガーの引寄せ操作に連動して後退する可動シリンダーを有し、該可動シリンダーの前端面に噴口が設けられ、
トリガーの非引寄せ時に噴口を閉じる蓋部がトリガーに設けられており、
トリガーの引寄せ時に、噴口を閉じていた蓋部が斜め下方に移動し、該蓋部が、後退するシリンダー前端面の噴口から離れ、噴口が開口するように、トリガーが噴霧器本体の前面側上端部を回動支点としていることを特徴とする噴霧器。
【請求項２】
蓋部が、トリガーと一体に、噴口に近接した部位に設けられている請求項１記載の噴霧器。
【請求項３】
トリガーの引寄せ操作を始めた後、噴口から液体が噴霧し始めるまでの間にタイムラグを設けてなる請求項１又は２記載の噴霧器。
【発明の詳細な説明】
【０００１】
【発明の属する技術分野】
本発明は、トリガー式噴霧器に関する。さらに詳しくは本発明は、噴霧器の非使用時に、その噴霧器の液体流路内の液体が固化することを防止するため、噴口を閉じる蓋部を設けたトリガー式噴霧器に関する。
【０００２】
【従来の技術】
トリガー式噴霧器は、トリガーの引寄せ操作により、噴口から液体を噴霧させるガンタイプの噴霧器であり、従来より洗剤、漂白剤等の噴霧器として、あるいは園芸用噴霧器として使用されている。
【０００３】
トリガー式噴霧器には種々の機構のものが知られており、その機構に応じて噴霧器本体内における液体流路やトリガーの支点の位置等も異なるが、いずれもその使用時には、例えば、図３に示すトリガー式噴霧器１０のように、液体を収容した容器１の口頸部２に、噴霧器本体１１がキャップ１２を螺合させること等により取り付けられる。そして、噴霧器本体１１の下方ないし容器１の口頸部２を噴霧器本体１１の背側から握り、トリガー１３に人差し指と中指とを掛け、トリガー１３を矢印Ｘ1 のように引寄せることにより、噴霧器本体１１内のシリンダーに連通したノズル部１５の噴口１４から液体を噴霧させる。
【０００４】
ところで、トリガー式噴霧器１０においては、容器１内に固化しやすい液体を収容し、噴霧する場合、噴霧器１０の非使用時にその噴霧器の液体流路内で液体が固化する場合がある。そこで、このような液体の固化を防止するため、噴口１４に直接蓋をはめたり、あるいはノズル部１５を回転させて液体流路を閉じる機構が設けられている。
【０００５】
【発明が解決しようとする課題】
しかしながら、従来の液体流路を閉じる機構のうち、ノズルの回転による機構では、液体流路を止めた部位から噴口までの間で液体が固化し、噴霧異常がきたされるという問題を有する。
【０００６】
このような噴霧異常が生じないようにする点からは、噴口を直接蓋で閉じる機構が望ましい。
【０００７】
しかし、従来の噴霧器において、噴口１４を直接的に閉じる蓋は、ノズル部１５の先端又は噴霧器本体１１のノズル部近傍にヒンジ等を介して設けられている。そのため、噴口１４から液体を噴霧させる時には、蓋を噴口からはずすという操作を行わなくてはならず、また、噴霧を終了した後には、蓋を噴口にはめるという操作を行わなくてはならない。
【０００８】
このように、液体を噴霧させるために必要な本来のトリガーの引寄せ操作以外に、別途蓋の開閉操作が必要とされることは繁雑である。そのため、蓋の開閉操作は実際上行われない場合も多い。
【０００９】
本発明は以上のような従来技術の課題を解決しようとするものであり、トリガー式噴霧器の噴口を直接的に閉じることができ、かつその蓋の開閉がトリガーの引寄せ操作に連動して自動的に行えるようにすることを目的とする。
【００１０】
【課題を解決するための手段】
本発明者は、トリガー式噴霧器に、その噴口を直接的に閉じる蓋を設ける場合に、ノズル部の先端や噴霧器に蓋を設けるのではなく、トリガーに蓋となる部分を設けることにより上記の目的が達成できることを見出し、本発明を完成させるに至った。
【００１１】
即ち、本発明は、噴霧器本体から垂下したトリガーの引寄せ操作により、噴霧器本体の噴口から液体を噴霧させるトリガー式噴霧器であって、
トリガーの引寄せ操作に連動して後退する可動シリンダーを有し、該可動シリンダーの前端面に噴口が設けられ、
トリガーの非引寄せ時に噴口を閉じる蓋部がトリガーに設けられており、
トリガーの引寄せ時に、噴口を閉じていた蓋が斜め下方に移動し、該蓋が、後退するシリンダー前端面の噴口から離れ、噴口が開口するように、トリガーが噴霧器本体の前面側上端部を回動支点としていることを特徴とする噴霧器を提供する。
【００１３】
本発明によれば、噴口を直接的に閉じることのできる蓋部がトリガーに設けられている。したがって、噴霧器の非使用時に噴霧器内の液体流路に残存している液体が固化し、噴霧異常がきたされることを防止できる。さらに、この蓋部はトリガーに連動して動くので、液体を噴霧させるときのトリガーの引寄せ操作により自動的に噴口を開き、トリガーの引寄せの解除により自動的に噴口を閉じる。したがって、液体を噴霧させるために必要な本来のトリガー操作以外に、別途操作を行う必要がなく、蓋を開閉することが可能となる。
【００１４】
また、トリガーの引寄せ操作時に噴口のあるシリンダー前面部が後退するようにすることで蓋が噴口より外れる操作がよりスムーズになる。
【００１５】
さらに、噴口を閉じる蓋部をトリガーと一体に形成することができるので、噴霧器を、蓋を持たない噴霧器と同様にコンパクトでシンプルなデザインに形成することも可能となる。
【００１６】
【発明の実施の形態】
以下、本発明を図面に基づいて具体的に説明する。なお、各図中同一符号は同一又は同等の構成要素を表している。
【００１７】
図１（ａ）は、本発明のトリガー式噴霧器１０Ａの部分切欠断面図であり、同図（ｂ）はそのノズル部近傍の拡大図である。また、図２は、トリガー式噴霧器１０Ａのトリガーを引寄せ、噴口を開口した状態のノズル部近傍の拡大図である。
【００１８】
この噴霧器１０Ａは、図３の従来の噴霧器１０と同様に液体を収容している容器１の口頸部２にキャップ１２により取り付けられて使用されるものであり、噴霧器本体１１の前面側上端部を回動支点１３p とするトリガー１３が垂下しており、トリガー１３の回動支点１３p の下方にシリンダー１６が設けられている。
【００１９】
シリンダー１６は、トリガー１３を図１の矢印Ｘ1 のように引寄せることにより噴霧方向後方に後退し、トリガー１３の引寄せを解除することにより、噴霧器本体１１内に設けられているスプリング（図示せず）の付勢により当初の位置に戻る可動式シリンダーとなっている。また、シリンダー１６の内部にはプランジャー１７が挿入されており、シリンダー１６の前方のノズル部１５には、噴口１４を形成するノズルチップ１８が挿入されている。このようにトリガー１３の引寄せ操作時に噴口１４のあるシリンダー１６の前面部が後退するようにすることで、後述する蓋部２０が噴口１４から外れる操作をよりスムーズに行うことが可能となる。
【００２０】
この噴霧器１０Ａによると、トリガー１３の引き寄せとその解除とに連動したシリンダー１６の往復運動により、容器内から液体が吸引され、噴口１４からその液体が噴霧される。
【００２１】
この噴霧器１０Ａは、トリガー１３に引寄せ操作を施さない状態で丁度噴口１４を閉じる蓋部２０がトリガー１３に設けられていることを特徴としており、特に、この蓋部２０が、トリガー１３と一体に、噴口１４に近接した部位に設けられていることを特徴としている。
【００２２】
この噴霧器１０Ａにおいて、液体を噴霧しない時、即ちトリガー１３を引寄せないときには、図１に示したように、トリガー１３に設けられている蓋部２０が噴口１４を閉じる。したがって、噴霧器１０Ａの非使用時に、噴霧器１０Ａ内の液体流路で液体が固化することを防止できる。
【００２３】
また、液体を噴霧するときにはトリガー１３を矢印Ｘ1 の方向に引寄せるが、このときトリガー１３は、図２に示したように噴霧器本体１１の前面側上端部の回動支点１３p を中心に回動し、それに伴いシリンダー１６は矢印Ｘ2 のようにシリンダーの軸方向である水平方向に後退する。また、蓋部２０はトリガー１３と一体になっているので、トリガー１３と同様に回動支点１３p を中心に回動し、矢印Ｘ3 のように斜め下方に移動する。したがって、蓋部２０は、シリンダー１６の前面に形成されている噴口１４と離れ、噴口１４が開口する。よって、この噴霧器１０Ａによれば、格別蓋部２０を噴口１４から取り外すという操作をすることなく、トリガー１３を引寄せるだけで噴口１４を開口させ、同時にそのトリガー１３の引き寄せ操作により液体を噴霧させることが可能となる。
【００２４】
さらにこの蓋部２０は、トリガー１３と一体に、噴口１４に近接した部位に設けられているので、例えば蓋部２０をトリガーの握り部あるいはさらに下方に設けた場合に比して、蓋部２０に必要な部材をコンパクトにすることができる。したがって、この噴霧器１０Ａは、蓋部２０を有するにもかかわらずデザイン的にも優れたものとなる。
【００２５】
なお、トリガー式噴霧器に、トリガー１３に設けた蓋部２０によって噴口１４を開閉するという本発明に特徴的な噴口１４の開閉機構を設けるに際しては、トリガー１３の引寄せ操作を始めた後、噴口１４から液体が噴霧し始めるまでの間に或る程度のタイムラグを設けることが望ましい。このようなタイムラグを設けるためには、例えば、トリガー１３の引寄せによりシリンダー１６内が所定の圧力以上になった場合にのみ液体が噴霧する蓄圧式噴霧機構を噴霧器に設けるか、あるいは、トリガー１３を引寄せることによりただちにシリンダー１６が噴霧方向後方に移動するのではなく、トリガー１３を或る程度引寄せた後にシリンダー１６が噴霧方向後方へ移動するように、トリガー１３にあそびを持たせてもよい。
【００２６】
【発明の効果】
本発明のトリガー式噴霧器によれば、噴霧器の非使用時に噴口を蓋部で直接的に閉じることができるので、噴霧器内の液体固化による噴霧異常を防止することができる。さらに、噴口の開閉を、トリがーの引寄せ操作に連動して自動的に行うことができるので、従来の噴口の開閉に伴う繁雑さを解消することができる。また、本発明のトリガー式噴霧器によれば、噴口を閉じる蓋部を有するにもかかわらず、蓋を持たない噴霧器と同様にコンパクトでシンプルなデザインに形成することも可能となる。
【図面の簡単な説明】
【図１】本発明のトリガー式噴霧器の部分切欠断面図（同図（ａ））及びそのノズル部付近の拡大図（同図（ｂ））である。
【図２】トリガーを引寄せた状態の本発明のトリガー式噴霧器のノズル部付近の拡大図である。
【図３】従来のトリガー式噴霧器付き容器の側面図である。
【符号の説明】
１    容器
２    口頸部
１０Ａ    トリガー式噴霧器
１１    噴霧器本体
１２    キャップ
１３    トリガー
１３p   トリガーの回動支点
１４    噴口
１５    ノズル部
１６    シリンダー
２０    蓋部
【図１】
0003744085.tif 000002
【図２】
0003744085.tif 000003
【図３】
0003744085.tif 000004